(57)【要約】【課題】物品の保管棚、陳列台の形状寸法は積載商品の種類によって異なることから、多種類の支柱や棚板がメーカーにおいて用意されており、ユーザーはその多品種の中から選定することになるが、通常は広い面積にわたり具体的なイメージ作りの困難な作業であった。【解決手段】陳列台等を実際に並べて検証することに代えて、サーバー側ウェブサイトに陳列台を構成する各種部材の数値データと形状図を記憶させておき、インターネットを介したユーザーのアクセスを許容するもので、ユーザー自身がその端末を操作して自らの要求を満たす陳列台を描画し、積載重量などを検証し、更には、陳列台設置の面積を確認することが可能となった。更に送付先地域等を指定するなどによりウェブサイト上で契約が完了する構成とした。【選択図】図１
2008234237.tif 000002
【特許請求の範囲】
【請求項１】
入力手段、制御手段、表示手段、記憶手段等を備えるコンピュータ装置等から、インターネットに代表される通信手段を介してアクセスが行なわれるシステムであって、
サーバーのウェブサイトには販売対象とする陳列台の完成見本図とその構成部材類の形状図面、各部材の寸法等を記載したテーブルを記憶する記憶手段と
ユーザー端末からのアクセスに対応して、前記の記憶された各部材類中より適宜、検索、抽出、選択を許す手段と、
ユーザー端末によって選択された各部材を組み合わせて完成品図を描画し、その総重量、陳列可能な有効面積、積載可能重量、商品代金、送付先への送料を計算する手段を有し、
ユーザー端末からの応諾により販売契約が成立することを特徴とする陳列棚販売システム。
【請求項２】
ユーザー端末からの別注仕様を認識する認識手段を有することを特徴とする請求項１記載の陳列棚販売システム。
【発明の詳細な説明】
【技術分野】
【０００１】
本発明は、百貨店やスーパーマーケットなどにおいて展示や保管のために使用される商品陳列台および保管棚の販売システムに関する。
【背景技術】
【０００２】
百貨店やスーパーマーケットなどの販売店が商品を展示し、または保管するために使用する商品陳列台または保管棚（以後、商品陳列台または保管棚を単に陳列台と略記する。）はその全体形状や個々の支柱、棚板の形状、寸法、棚受け、天板などが展示する商品によって異なる。ユーザーはあらかじめ展示商品を具体に決定して陳列台本体の外観形状と、どのような寸法の部材（例えば、支柱、棚板、ブラケット、ベース台等）を付属させるかなどを決め、それに応じた部材をカタログの記載から選り出して前記陳列台の本体とセットにしてメーカーないしディラーに発注するのが通例である。
【０００３】
しかし、需要の拡大と共に形状、寸法の異なる多種類の陳列台や陳列棚板が開発された今日、ユーザーが自らの販売商品を陳列するために必要な展示面積を考え、或いは購買誘引力の優れた店舗構成をしたいと欲してもどのタイプの陳列台が適切なのかを容易に決定できないのが現実である。
【０００４】
ユーザーが陳列台の購入に際して必要な展示面積が得られ、且つ、顧客の通路が確保できるか、また、店舗デザイン上に問題はないか等の検証をするためにメーカーないしディラーをもって現実に陳列台を並べさせることがしばしばであり、これに対応するためにメーカーないしディラーは比較的広い展示場を有することが必要になっている。
【０００５】
そこで陳列台の展示方法として考えられるのはメーカーないしディラーがインターネット上のホームページまたはウェブサイト上に各種陳列台の構成見本、構成部材を画像或いは数値テーブルとして公開し、ユーザーが必要に応じてそれらの部材を選別し、仮想空間にその部材構成における外観図を表示せしめて自ら検証し発注するシステムが有効である。従来、完成商品に関しては百貨店等の中元商品、歳暮商品等の販売にインターネットが用いられているが、この場合、画像としては完成品の表示であってユーザー自身が各種部材を組合せてその外観図等を描画することができないのが現状である。
【０００６】
画像や動画像などをダウンロード等により配布、販売をする際に、完成されたコンテンツだけではなくその編集データや設定データ、説明やコメントなどを含むデータを含めて提供し、これをユーザーが編集・加工したコンテンツの著作権使用許諾をすることのできるコンテンツ使用許諾販売システムが開示されている。
【０００７】
【特許文献１】特開２００４−１８５５７１号公報（発明が解決しようとする課題）
【発明の開示】
【発明が解決しようとする課題】
【０００８】
本発明はメーカーが生産可能な、または用意された各種の支柱や棚板あるいはガード装置などの中からユーザー自らがこれを選び出し、これを組合せて陳列台として画像化し、これを視認してデザインを確認し、更に、商品の積載可能面積、積載可能重量等を算出して要求性能を充たすかを検証し、発注、購買することを可能にすることを課題とする。
【課題を解決するための手段】
【０００９】
上記課題を解決するため、請求項１に記載の発明においては、入力手段、制御手段、表示手段、記憶手段等を備えるコンピュータ装置等から、インターネットに代表される通信手段を介してアクセスが行なわれるシステムであって、
サーバーのウェブサイトには販売対象とする陳列台の完成見本図とその構成部材類の形状図面、各部材の寸法等を記載したテーブルを記憶する記憶手段と
ユーザー端末からのアクセスに対応して、前記の記憶された各部材類中より適宜、検索、抽出、選択を許す手段と、
ユーザー端末によって選択された各部材を組み合わせて完成品図を描画し、その総重量、陳列可能な有効面積、陳列・積載可能重量、商品代金、送付先への送料を計算する手段を有し、
その計算結果をウェブサイトに表示する手段を有し、
ユーザー端末が計算結果に応諾する旨の信号を送信することにより販売契約が成立することを特徴とする陳列棚販売システムとした。
【００１０】
また、上記の課題を解決するため、請求項２に記載の発明においては、ユーザー端末から発信される別注仕様の陳列台構成を認識する認識手段を有するものとした。したがって、ユーザーニーズを直接収集して新商品開発の端緒とすることを可能となったものである。
【発明の効果】
【００１１】
前記のように、ユーザーは自らの端末から購買しようとする陳列台の形状を画像で視認し、且つ、積載有効面積と積載可能重量などの情報を得ることができるので、従来のように、メーカーやディラーの開設する展示場まで足を運ぶ必要がなくなった。
【発明を実施するための最良の形態】
【００１２】
本発明に係る販売システムにおいてサーバー側は、陳列台の基本的なモデル構成例を示す全体像が画像で保存され、それらの陳列台を構成する各種部材の個別情報、例えば支柱の高さと断面形状および耐荷重性、陳列棚の高さ、横幅、奥行等のサイズ、積載可能重量等および単価を数値情報として格納し、更に、画像処理用ソフトが格納された自らのウェブサイトを開設しておく。更に、画像として表示された陳列台の積載可能重量、トータル価額、運送費算出ソフトも同時に格納されている。
【００１３】
前記サーバーのウェブサイトはインターネットを介したユーザー端末からのアクセスに対し常に開放されている。ユーザーは自身の端末操作により自由に前記の画像を読み出し、また、陳列台形状、棚板寸法と枚数などの構成を選定して画像表示ボタンをクリックすることによりユーザー端末に画像を表示できるようにする。
【００１４】
ユーザーが選定した画像をサーバー側ウェブサイトが認識して該ウェブサイトの計算ソフトによりその棚板の商品積載可能面積と重量、商品代、運賃等を算出してユーザー側端末に表示するようにプログラムされている。
【実施例１】
【００１５】
本発明の一実施例を図に従って説明する。図１は本発明のフローチャート、図２、図3は陳列台の例示である。ユーザー端末Ｕからのアクセスが可能なサーバー側ウェブサイトＷには陳列棚の各種形式（１または１０など、図示しないものを含む）を示すモデル図である。それら陳列台を構成する部材、すなわち、支柱２、ベース台３、棚板４、ブラケット５、ガード板６、梁７等の各寸法、耐荷重量などが数値データとして、さらには、その各部材の形状を示す図面および標準的な部材の組合せになる陳列棚の全体形状図（図１、図２）が保管されている。
【００１６】
ユーザーはインターネット等の情報網を介して前記のサーバー側ウェブサイトにアクセスし、自身の商品を展示するのに適合する陳列台の全体形状図を探し出し、その構成部材を確認し、次いでそれらの部材の数値データ、例えば陳列台の高さ、横幅、奥行き、棚板の段数、陳列棚の使用形態（単体配置か連接配置か）、台数等を指定する。同時に該陳列棚の送付先地域を指定して所定のキィーをクリックする。
【００１７】
これにより指定された部材を組み付けた陳列台の外観図（斜視図、正面図、側面図、平面図等またはその一部）が表示され、同時に陳列台の設置面積、各棚板間の上下間寸法と各棚板への積載可能重量および積載可能面積、前記の陳列台の設置面積と積載可能な有効面積との差、在庫状況、および送料が表示される。なお、前記の外観図面上において棚板の上下方向への移動がユーザー端末から可能になっているので必要とする積載物の高さに見合った棚板間隔の確認が可能である。なお、この場合の外観図面はサーバー側ウェブサイトにあらかじめレイヤーの形でストックされた各部材の図面が寄せ集められて合成される。
【００１８】
上記により表示された陳列台の仕様でよければこの段階で価額表示ボタンをクリックするなどによりトータルの金額を知ることができる。そしてこの構成でよければ自社名と所在地、発注責任者の氏名、支払条件、納入希望日等の入力をして所定キィーをクリックする。これによって発注は完了する。なお、ユーザーの住所、氏名の入力はもっと前の段階でなされても良い。
【００１９】
サーバー側端末には上記の発注情報が転送されることになり、サーバー側端末から発送日、商品代振込口座、振込み確認次第発送する旨の受諾メールが自動または手動でユーザーに送信される。
【実施例２】
【００２０】
実施例２におけるものは、サーバー側ウェブサイトに簡単なＣＡＤシステムが搭載されているシステムである。この場合、このウェブサイトにアクセスしたユーザーは自ら希望する形状の支柱２、ベース基板３、棚板４、ブラケット５、ガード板６等を指定してイメージを要求すればＣＡＤシステムは支柱の本数からオープンタイプの陳列台１（図２）か四本柱の保管棚形式１０（図３）のものかを判断して全体像を画像として表示し、更に前記と同様な棚板４の積載可能重量と積載可能面積、総重量、運搬費用等が表示される。
【００２１】
ユーザーは、前記と同様、構成部材の組合せを変更することが可能で、それにしたがって画像が変更される。その画像に示された構成でよければ発注ボタンをクリックすればサーバー側ウェブサイトにおいて在庫の確認と可能納期、送料と該陳列台の合計価額がユーザー側にメールなどにより送信せられる。
【実施例３】
【００２２】
ユーザーは、標準的な棚板形状ではなく例えばコーナー用としての三角状の棚板や棚板の端縁に立設するガード板の別注仕様を欲する場合、自らその形状を図示して該ウェブサイトに送信し、或いは別個にメールなどを介してしてメーカーないしデーラーに要求することを許し、メーカーはこの要求に対応する旨の記載をウェブサイトに記載した。これによって、ユーザーの多様なニーズに速やかに対応できることになった。
【産業上の利用可能性】
【００２３】
本発明に係るシステムは、陳列台を対象とした。特に棚板のように縦、横、高さの寸法が異なる多くの品種をメーカーが保持し、ユーザーがその多種類の中から適切なものを選び出して適宜に組み合わせ、その性能を確認の上発注する形式の商品販売に適合するものである。通常、ユーザーが陳列台を選定し、発注するまでには多くの時間を必要とし、その間、サーバー側説明員が在庫商品の取り出し、組立、且つ設明し納得して頂くことになるが、これではセールスの能率があがらなかった。
【００２４】
本発明に係るシステムは、このような多様な部材群の中から選定し、且つ、それらの部材が組み合わされて使用される物品販売に適したもので陳列台、物品保管棚の販売に適用される。
【図面の簡単な説明】
【００２５】
【図１】本発明のオンラインによる陳列棚販売システムの一実施例を示すブロック図である。
【図２】陳列台の一例を示す斜視図である。
【図３】保管棚の一例を示す斜視図である。
【図１】
2008234237.tif 000003
【図２】
2008234237.tif 000004
【図３】
2008234237.tif 000005
【手続補正書】
【提出日】平成19年3月22日(2007.3.22)
【手続補正１】
【補正対象書類名】明細書
【補正対象項目名】００２６
【補正方法】変更
【補正の内容】
【００２６】
１．１０  モデル図
２  支柱
３  ベース台
４  棚板
５  ブラケット
６  ガード板
７  梁